(57)【要約】【課題】  デジタル放送に対応した受信端末とアナログ放送に対応した受信端末とが混在する状況でも、双方における受信を可能とする。【解決手段】  受信回路１６，１６，１６・・・とコンバータ１７，１７，１７・・・にて変換された複数のアナログテレビジョン放送信号と、バイパスラインを経由したデジタルテレビジョン放送信号が混合器１８に入力されることとなる。混合器１８においては、これらの信号を混合して混合放送信号を生成する。混合放送信号には、アナログテレビジョン放送信号とデジタルテレビジョン放送信号が含まれるため、受信端末２０，２０，２０・・・が少なくともアナログ／デジタルのいずれか一方のチューナを備えていれば、テレビジョン放送を視聴することができる。【選択図】  図１
2008167260.tif 000002
【特許請求の範囲】
【請求項１】
受信したデジタルテレビジョン放送信号を複数の受信端末に受信させる共同視聴システムにおいて、
受信した上記デジタルテレビジョン放送信号をバイパスラインと複数の変換用ラインに分配する分配器と、
複数の上記変換用ラインに分配されたデジタルテレビジョン放送信号からそれぞれ異なる周波数帯成分を取り出し、ＩＦ回路と検波回路とデマルチプレックス回路を介して一または複数のデジタル信号を生成する複数の受信回路と、
上記受信回路にて生成された上記デジタル信号のそれぞれに対応して備えられ、各デジタル信号をそれぞれアナログ信号に変換し、各アナログ信号をＶＨＦ帯域においてそれぞれ異なる周波数帯に変調させた複数のアナログテレビジョン放送信号を生成し、ブースターにて増幅する複数のコンバータと、
上記バイパスラインに分配された上記デジタルテレビジョン放送信号と、複数の上記コンバータから出力された複数の上記アナログテレビジョン放送信号と、入力端子から入力したデジタル衛星放送信号とを混合して混合放送信号を生成し、当該混合放送信号を複数の上記受信端末に出力する混合器とを具備することを特徴とする共同視聴システム。
【請求項２】
受信したデジタルテレビジョン放送信号を複数の受信端末に受信させる共同視聴システムにおいて、
受信した上記デジタルテレビジョン放送信号をバイパスラインと複数の変換用ラインに分配する分配器と、
複数の上記変換用ラインに分配されたデジタルテレビジョン放送信号からそれぞれ異なる周波数帯成分を取り出してデジタル信号を生成する複数の受信回路と、
上記受信回路のそれぞれに対応して備えられ、上記受信回路のそれぞれにて生成された上記デジタル信号をそれぞれアナログ信号に変換し、各アナログ信号をそれぞれ異なる周波数帯に変調させた複数のアナログテレビジョン放送信号を生成する複数のコンバータと、
上記バイパスラインに分配された上記デジタルテレビジョン放送信号と、複数の上記コンバータから出力された複数の上記アナログテレビジョン放送信号を混合して混合放送信号を生成し、当該混合放送信号を複数の上記受信端末に出力する混合器とを具備することを特徴とする共同視聴システム。
【請求項３】
上記コンバータは生成した上記アナログ信号をＶＨＦ帯に変調させることを特徴とする請求項２に記載の共同視聴システム。
【請求項４】
上記コンバータは生成した上記アナログテレビジョン放送信号を増幅させるブースターを具備することを特徴とする請求項２または請求項３のいずれかに記載の共同視聴システム。
【請求項５】
上記混合器は衛星放送信号が入力可能であり、当該デジタル衛星放送信号を上記デジタルテレビジョン放送信号と上記アナログテレビジョン放送信号と混合させることを特徴とする請求項２から請求項４のいずれか一項に記載の共同視聴システム。
【請求項６】
上記受信回路は単一の上記周波数帯成分から複数の上記デジタル信号を生成するデマルチプレックス回路し、上記コンバータは各デジタル信号に対応して備えられることを具備することを特徴とする請求項２から請求項５のいずれか一項に記載の共同視聴システム。
【請求項７】
ユニット化された上記受信回路と上記コンバータを増設する増設ポートが備えられることを特徴とする請求項２から請求項６のいずれか一項に記載の共同視聴システム。
【発明の詳細な説明】
【技術分野】
【０００１】
本発明は共同視聴システムに関し、特に受信したデジタルテレビジョン放送信号を複数の受信端末に受信させる共同視聴システムに関するものである。
【背景技術】
【０００２】
従来の共同視聴システムにとして、デジタルテレビジョン放送信号をアナログテレビジョン放送信号に変換して、各受信端末に配信するものが提案されている（特許文献１、参照。）。
このような共同視聴システムによれば、デジタルテレビジョン放送信号がアナログテレビジョン放送信号に変換されるため、デジタルテレビジョン放送信号のみが放送される状況においてもアナログ放送に対応したテレビ受像機を有効に使用することが可能であった。
【特許文献１】実用新案登録第３１１９７４５号公報
【発明の開示】
【発明が解決しようとする課題】
【０００３】
近年、デジタル放送に対応したテレビ受像機が普及してきており、デジタル放送に対応したテレビ受像機とアナログ放送に対応したテレビ受像機とが混在する状況が生じている。このような状況は、アナログ地上波放送の停止に近づくにつれて一層顕著となり、アナログ地上波放送の停止後もしばらくは継続するものと予測される。上述した文献に記載された技術では、すべてのテレビ受像機がアナログ放送を受信できることを前提としており、受信端末としてデジタル放送のみ受信できるテレビ受像機が混在した場合には、当該テレビ受像機では視聴することができないという不具合が生じてしまう。
本発明は、上記課題にかんがみてなされたもので、デジタル放送に対応した受信端末とアナログ放送に対応した受信端末とが混在する状況でも、双方における受信を可能とする共同視聴システムの提供を目的とする。
【課題を解決するための手段】
【０００４】
上記目的を達成するために請求項２にかかる発明は、受信したデジタルテレビジョン放送信号を複数の受信端末に受信させる共同視聴システムにおいて、受信した上記デジタルテレビジョン放送信号をバイパスラインと複数の変換用ラインに分配する分配器と、複数の上記変換用ラインに分配されたデジタルテレビジョン放送信号からそれぞれ異なる周波数帯成分を取り出してデジタル信号を生成する複数の受信回路と、上記受信回路のそれぞれに対応して備えられ、上記受信回路のそれぞれにて生成された上記デジタル信号をそれぞれアナログ信号に変換し、各アナログ信号をそれぞれ異なる周波数帯に変調させた複数のアナログテレビジョン放送信号を生成する複数のコンバータと、上記バイパスラインに分配された上記デジタルテレビジョン放送信号と、複数の上記コンバータから出力された複数の上記アナログテレビジョン放送信号を混合して混合放送信号を生成し、当該混合放送信号を複数の上記受信端末に出力する混合器とを具備する構成としてある。
【０００５】
上記のように構成した請求項２の発明では、分配器が受信したデジタルテレビジョン放送信号をバイパスラインと複数の変換用ラインに分配する。複数の変換用ラインに分配された上記デジタルテレビジョン放送信号は、複数の受信回路のそれぞれに入力される。各受信回路においては、それぞれ異なる周波数帯成分が取り出され、この周波数帯成分からデジタル信号が生成される。周波数帯ごとに放送チャンネルが割り当てられるため、各受信回路においては各放送チャンネルに対応するデジタル信号が生成されることとなる。従って、放送チャンネルの個数だけ上記受信回路を備えておけば、すべての放送チャンネルに対応した上記デジタル信号を生成することができる。
【０００６】
各受信回路に対応してコンバータが複数備えられ、各コンバータにおいては対応する上記受信回路にて生成された上記デジタル信号がアナログ信号に変換される。変換して得られた上記アナログ信号を、さらに上記コンバータにてそれぞれ異なる周波数帯に変調させることにより複数のアナログテレビジョン放送信号が生成される。各コンバータにて生成された複数の上記アナログテレビジョン放送信号は、上記分配器にて上記バイパスラインに分配された上記デジタルテレビジョン放送信号とともに混合器に入力され、当該混合器にて混合され混合放送信号が生成される。この混合放送信号は各受信端末に出力され、各受信端末が当該混合放送信号を受信する。上記混合放送信号には、上記バイパスラインを経由した上記デジタルテレビジョン放送信号と、上記受信回路および上記コンバータの各組み合わせにて生成された上記アナログテレビジョン放送信号とを含むため、上記受信端末がデジタルテレビジョン放送信号とアナログテレビジョン放送信号のいずれに対応するものであっても視聴することができる。
【０００７】
さらに、請求項３にかかる発明は、上記コンバータは生成した上記アナログ信号をＶＨＦ帯に変調させる構成としてある。
上記のように構成した請求項３の発明では、生成した上記アナログ信号を上記コンバータがＶＨＦ帯域に変調させるため、上記混合器にて混合しても、通常、ＵＨＦ帯に割り当てられる上記デジタルテレビジョン放送信号との混信を防止することができる。
【０００８】
また、請求項４にかかる発明は、上記コンバータは生成した上記アナログテレビジョン放送信号を増幅させるブースターを具備する構成としてある。
上記のように構成した請求項４の発明では、上記コンバータは生成した上記アナログテレビジョン放送信号をブースターが増幅させることにより、上記アナログテレビジョン放送信号の信号強度を補強することができる。
【０００９】
また、請求項５にかかる発明は、上記混合器は衛星放送信号が入力可能であり、当該デジタル衛星放送信号を上記デジタルテレビジョン放送信号と上記アナログテレビジョン放送信号と混合させる構成としてある。
上記のように構成した請求項５の発明では、上記混合器において、上記デジタルテレビジョン放送信号と上記アナログテレビジョン放送信号のみならず、衛星放送信号も混合する。これにより、上記混合放送信号には上記衛星放送信号も含まれることとなり、上記衛星放送信号を使用可能な受信端末も有効に使用することができる。なお、上記衛星放送信号はデジタルであってもアナログであってもよい。
【００１０】
また、請求項６にかかる発明は、上記受信回路は単一の上記周波数帯成分から複数の上記デジタル信号を生成するデマルチプレックス回路を具備する構成としてある。
上記のように構成した請求項６の発明では、上記受信回路が備えるデマルチプレックス回路は、単一の上記周波数帯成分の多重化を解除することによって複数の上記デジタル信号を生成する。複数の上記デジタル信号は、上記アナログ信号に変換され、それぞれ異なる周波数帯に変調されるため、上記受信端末においても異なる放送チャンネルとして受信することができる。
【００１１】
さらに、請求項７にかかる発明は、ユニット化された上記受信回路と上記コンバータを増設する増設ポートが備えられる構成としてある。
上記の有に構成した請求項７の発明では、上記受信回路と上記コンバータをユニット単位で増設することができるため、上記デジタルテレビジョン信号の放送チャンネルが増加した場合も対応することができる。
【００１２】
以上の構成をさらに具体化した共同視聴システムによっても本発明を実現することができ、その具体例として請求項１にかかる発明は、受信したデジタルテレビジョン放送信号を複数の受信端末に受信させる共同視聴システムにおいて、受信した上記デジタルテレビジョン放送信号をバイパスラインと複数の変換用ラインに分配する分配器と、複数の上記変換用ラインに分配されたデジタルテレビジョン放送信号からそれぞれ異なる周波数帯成分を取り出し、ＩＦ回路と検波回路とデマルチプレックス回路を介して一または複数のデジタル信号を生成する複数の受信回路と、上記受信回路のそれぞれに対応して備えられ、上記受信回路のそれぞれにて生成された一または複数の上記デジタル信号をそれぞれアナログ信号に変換し、各アナログ信号をＶＨＦ帯域においてそれぞれ異なる周波数帯に変調させた複数のアナログテレビジョン放送信号を生成し、ブースターにて増幅する複数のコンバータと、上記バイパスラインに分配された上記デジタルテレビジョン放送信号と、複数の上記コンバータから出力された複数の上記アナログテレビジョン放送信号と、入力端子から入力したデジタル衛星放送信号とを混合して混合放送信号を生成し、当該混合放送信号を複数の上記受信端末に出力する混合器とを具備する構成としてある。
【００１３】
かかる構成においても請求項２から請求項４の各発明の発明特定事項が含まれるため、請求項２から請求項４の各発明の単独または相乗的な作用効果が実現できることはいうまでもない。
【発明の効果】
【００１４】
請求項１および請求項２の発明によれば、デジタル放送に対応した受信端末とアナログ放送に対応した受信端末とが混在する状況でも、双方における受信を可能とする共同視聴システムを提供することができる。
請求項３の発明によれば、混信を防止することができる。
請求項４の発明によれば、信号強度の低下を防止することができる。
請求項５の発明によれば、より多様な放送形式に対応することができる。
請求項６の発明によれば、より多くの放送チャンネルを受信可能とすることができる。
請求項７の発明によれば、デジタル放送チャンネルが増加しても、柔軟に対応することができる。
【発明を実施するための最良の形態】
【００１５】
ここでは、下記の順序に従って本発明の実施形態について説明する。
（１）第１の実施形態：
（２）変形例：
【００１６】
（１）第１の実施形態
図１は、本発明の第１の実施形態にかかる共同視聴システムの構成を概略的に示している。同図において、共同視聴システム１０は分配器１３と変換用ライン１４，１４，１４・・・とバイパスライン１５と受信回路１６，１６，１６・・・とコンバータ１７，１７，１７・・・と混合器１８とから構成されている。分配器１３は共同地上波アンテナ１１と接続され、混合器１８は共同衛星アンテナ１２と各受信端末２０，２０，２０・・・と接続されている。変換用ライン１４と受信回路１６と３個のコンバータ１７，１７，１７で構成される組み合わせが複数備えられている。共同地上波アンテナ１１は、デジタルテレビジョン放送信号（地上波デジタル放送）を受信することができる。
【００１７】
なお、本実施形態ではデジタル放送信号のみがＵＨＦ帯（Ultra-High Frequency：３００〜３０００ＭＨｚ）にて放送されており、アナログテレビジョン放送信号の放送が停止した状況（日本では２０１１年７月２４日以降）を想定している。共同視聴システム１０は例えばマンション等の集合住宅や地上波放送信号が到達しにくい難視聴地域に備えられ、各家庭の受信端末２０，２０，２０・・・が接続される。なお、受信端末２０，２０，２０・・・は、テレビ受像機やビデオレコーダ等であり、これらが備えるチューナはデジタル／アナログを問わない。
【００１８】
分配器１３に入力されたデジタルテレビジョン放送信号は分配器１３にて分配され、複数の変換用ライン１４，１４，１４・・・およびバイパスライン１５に分岐させられる。各変換用ライン１４，１４，１４・・・に対応して複数の受信回路１６，１６，１６・・・が備えられており、各受信回路１６，１６，１６・・・に、分配器１３が分配したデジタルテレビジョン放送信号が入力される。分配器１３は、入出力間のインピーダンス整合のための回路を配置したり、弱電界地域等で出力が不足する場合には、ブースターアンプを併用してもよい。逆に、強電界地域においてはインピーダンス整合のための回路をなくして、直線あるいは直線と同等の回路にしてもよい。
【００１９】
図２は、受信回路１６とコンバータ１７，１７，１７・・・の詳細構成を示している。各受信回路１６は、それぞれチューナ回路１６１とＩＦ回路１６２と検波回路１６３とデマルチプレックス回路１６４とデコーダ回路１６５を備えている。各チューナ回路１６１においてはＵＨＦ帯においてそれぞれ異なる周波数のデジタルテレビジョン放送信号を取り出す。図１に示したすべての受信回路１６，１６，１６・・・とコンバータ１７，１７，１７・・・は、同様の構成とされているが、各チューナ回路１６１はそれぞれ取り出す周波数帯が異なるように設定されている。
【００２０】
図３は、各チューナ回路１６１が受信する周波数帯の割り当てを表に示している。同図において、各チューナ回路１６１ａ，１６１ｂ，１６１ｃ・・・はそれぞれ異なる周波数帯を受信することが可能とされている。チューナ回路１６１はそれぞれ受信した周波数成分を中間波として生成し、各中間波をＩＦ回路１６２に入力する。ＩＦ回路１６２は中間波増幅を行い、増幅された中間波は検波回路１６３に入力される。検波回路１６３は、図２に示すように周波数シフトさせられた映像信号と音声信号を分離し、それぞれをデマルチプレックス回路１６４に入力させる。
【００２１】
デマルチプレックス回路１６４は、入力した映像信号と音声信号の多重化を解除する。単一の周波数帯に３放送チャンネル分の信号を多重化することが可能となっており、最大３放送チャンネル分の映像信号と音声信号に分離させられる。多重化を解除された各放送チャンネルの映像信号と音声信号はデコーダ回路１６５，１６５，１６５に入力され、デコーダ回路１６５，１６５，１６５にてデジタル映像信号とデジタル音声信号に復調される。デコーダ回路１６５，１６５，１６５は、最大３放送チャンネルが多重化されることを想定して各チューナ回路１６１に対して３個ずつ備えられている。これにより、多重化された各放送チャンネルについて同時にデコードを行うことができる。
【００２２】
コンバータ１７，１７，１７は各デコーダ回路１６５，１６５，１６５に対応して備えられている。コンバータ１７，１７，１７は、Ｄ／Ａ変換回路１７１，１７１，１７１と変調回路１７２，１７２，１７２とブースター１７３，１７３，１７３とから構成されている。Ｄ／Ａ変換回路１７１，１７１，１７１はデジタル映像信号とデジタル音声信号をアナログ化するとともにＮＴＳＣやＰＡＬやＳＥＣＡＭ等の規格にしたがったアナログ信号に変換する。変換されたアナログ信号は、それぞれ変調回路１７２，１７２，１７２に入力され、それぞれ異なる周波数に変調される。
【００２３】
すなわち、各アナログ信号は、変調回路１７２，１７２，１７２にてそれぞれ異なる周波数帯の搬送波に搬送させた複数のアナログテレビジョン放送信号に変換される。ここでは、ＶＨＦ帯のアナログテレビジョン放送信号に変調されることとなる。変調回路１７２，１７２，１７２では、最低限、互いに異なる周波数帯に変調させることができればよいが、例えばデジタルテレビジョン信号に含まれるＳＤＴから当該アナログ信号に対応した放送チャンネルを特定し、その放送チャンネルが地上波アナログ放送を行っていたときに使用していた周波数帯に変調するようにしてもよい。
【００２４】
各変調回路１７２，１７２，１７２にて生成したアナログテレビジョン放送信号はそれぞれブースター１７３，１７３，１７３に入力され、ブースター１７３，１７３，１７３では各アナログテレビジョン放送信号の信号強度が受信に十分かつ均一となるように増幅が行われる。増幅された各アナログテレビジョン放送信号は、混合器１８に入力される。
【００２５】
一方、図１においてバイパスラインに入力されたデジタルテレビジョン放送信号は、何ら変換されることなくそのまま混合器１８に入力される。また、混合器１８は、例えばＢＳデジタル放送やＣＳ１１０°放送等のデジタル衛星放送信号を共同衛星アンテナ１２から入力可能な端子を有しており、当該端子からデジタル衛星放送信号を入力する。従って、受信回路１６，１６，１６・・・とコンバータ１７，１７，１７・・・にて変換された複数のアナログテレビジョン放送信号と、バイパスラインを経由したデジタルテレビジョン放送信号と、共同衛星アンテナ１２から受信したデジタル衛星放送信号が混合器１８に入力されることとなる。混合器１８においては、これらの信号を混合して混合放送信号を生成する。上述したとおりデジタルテレビジョン放送信号はＵＨＦ帯であり、アナログテレビジョン放送信号はＶＨＦ帯であるため、両者が干渉することはない。むろん、複数のコンバータ１７，１７，１７によってＶＨＦ帯のみならずＵＨＦ帯のアナログ放送波に変換したものを混合器１８に出力させるようにすることも可能である。さらに、本発明の技術思想において、アンテナに接続される回路として、ＢＳ放送用、ＣＳ放送用、ＣＳ１１０°放送用のいずれか又はこれらの組み合わせを受信するチューナの後に、デマルチプレックス回路とデジタル／アナログ変換回路を併設することもできる。このようにすることにより、上記放送のうちアナログ放送局またはデジタル放送局の受信信号を、放送局ごとに設けた複数のチューナーユニットを介して、ＵＨＦあるいはＶＨＦのアナログ放送波に変換したものを混合器に出力させるようにすることができる。
【００２６】
混合器１８にて混合された混合放送信号は、各アンテナケーブルを介して各家庭の受信端末２０，２０，２０・・・に配信される。混合放送信号には、アナログテレビジョン放送信号とデジタルテレビジョン放送信号とデジタル衛星放送信号が含まれるため、テレビ受像機やビデオレコーダといった受信端末２０，２０，２０・・・が少なくともアナログ／デジタルのいずれか一方のチューナを備えていれば、テレビジョン放送を視聴することができる。従って、既存のアナログテレビ受像機等を有効に利用することができるとともに、新たに導入したデジタルテレビ受像機も有効に利用することができる。むろん、衛星放送チューナを有する家庭においては衛星放送も視聴することができる。
【００２７】
（２）変形例
デジタルテレビジョン放送の放送チャンネルの数は、放送局の増減等によって変動する場合も考えられる。そのため、各放送チャンネル（周波数）に対応して備えられる受信回路１６，１６，１６・・・とコンバータ１７，１７，１７・・・を増設することができるようにしておくのが望ましい。例えば、受信回路１６と３個のコンバータ１７，１７，１７・・・を単一の筐体にユニット化しておき、ユニット単位で増設できるようにしてもよい。
【００２８】
図４は、共同視聴システム１０の外観を斜めから見て示しており、受信回路１６と３個のコンバータ１７，１７，１７を単一の筐体にユニット化したユニットＵが増設される様子を示している。配線ボックス１９が分配器１３と混合器１８に隣接して備えられている。配線ボックス１９には複数のユニットＵ，Ｕ，Ｕ・・・を取り付けることにより、図１に示した変換用ライン１４，１４，１４・・・等の必要な配線を分配器１３と混合器１８とユニットＵとの間で接続することができる。配線ボックス１９にはユニットＵを増設するための増設ポート１９ａ，１９ａ，１９ａ・・・が備えられている。
【００２９】
ユニットＵを増設する場合には、ユニットＵに備えられたコネクタに増設ポート１９ａを接続すればよい。配線ボックス１９には増設ポート１９ａと分配器１３と混合器１８とを接続する配線も収容されており、増設したユニットＵも分配器１３と混合器１８に接続することができる。放送局が増えた場合などには、ユニットＵの増設が必要となるが、新たな放送局が放送する周波数帯を増設するユニットＵのチューナ回路１６１に設定しておけばよい。また、増設するユニットＵが備える変調回路１７２に設定する変調周波数は、すでに設置されているユニットＵが備える変調回路１７２が変調を行っているいずれの周波数とも違う周波数としておけばよい。
【００３０】
なお、チューナ回路１６１が選局する周波数と、各変調回路１７２が変調する周波数を動的に制御することができるように、これらの周波数を統括的に制御するコントローラを備えるようにしてもよい。例えば、コントローラが随時ＥＰＧ[Electronic Program Guide]やＳＴＤ[Service Description Table]を取得して、各チャンネルに対して最適な周波数が設定されるようにチューナ回路１６１や変調回路１７２，１７２，１７２を制御するようにしてもよい。
【図面の簡単な説明】
【００３１】
【図１】共同視聴システムのブロック図である。
【図２】チューナおよびコンバータのブロック図である。
【図３】チューナ回路が選局する周波数を示す表である。
【図４】共同視聴システムの外観斜視図である。
【符号の説明】
【００３２】
１０…共同視聴システム、１１…共同地上波アンテナ、１２…共同衛星アンテナ、１３…分配器、１４…変換用ライン、１５…バイパスライン、１６…受信回路、１７…コンバータ、１８…混合器、２０…受信端末、１６１…チューナ回路、１６１ａ…チューナ回路、１６２…ＩＦ回路、１６３…検波回路、１６４…デマルチプレックス回路、１６５…デコーダ回路、１７１…Ｄ／Ａ変換回路、１７２…変調回路、１７３…ブースター、Ｕ…ユニット。
【図１】
2008167260.tif 000003
【図２】
2008167260.tif 000004
【図３】
2008167260.tif 000005
【図４】
2008167260.tif 000006